(57)【特許請求の範囲】
【請求項１】
第１及び第２の信号線からなる加入者回線の回線負荷抵抗の状態を検出する回線負荷抵抗監視回路において、
第１及び第２の信号線に設けたそれぞれ第１及び第２の回線負荷監視用抵抗と、前記第１の回線負荷監視用抵抗の電圧降下の第１の極性の一定電圧範囲を検出する第１のウインドウ型比較回路と、第２の回線負荷監視用抵抗の電圧降下の第２の極性の一定電圧範囲を検出する第２のウインドウ型比較回路と、各ウインドウ型比較回路の出力の論理積操作により回線負荷抵抗の上昇を検出することを特徴とする回線負荷抵抗監視回路。
【請求項２】
前記第１及び第２のウインドウ型比較回路は、前記第１及び第２の信号線の間に直列接続された第１及び第２の電圧安定化回路と、前記第１及び第２の電圧安定化回路により発生した第１及び第２の基準電圧と前記第１及び第２の回線負荷監視用抵抗の各電圧降下とのそれぞれの比較結果と、前記第１及び第２の回線負荷監視用抵抗の電圧降下の極性のそれぞれの検出結果とをそれぞれ論理操作することにより、前記第１及び第２の回線負荷監視用抵抗の電圧降下のそれぞれの前記一定電圧範囲の検出を行うことを特徴とする請求項１記載の回線負荷抵抗監視回路。
【請求項３】
前記第１及び第２の電圧安定化回路は、それぞれ安定化出力電圧出力の帰還電圧を発生する抵抗分割回路を備えるとともに、前記各抵抗分割回路に並列に前記第１及び第２の基準電圧を出力する抵抗分割回路をそれぞれ設けたことを特徴とする請求項２記載の回線負荷抵抗監視回路。
【請求項４】
前記第１のウインドウ型比較器は加入者回線の正極性の電圧が印加される信号線に設けられ、前記第２のウインドウ型比較器は、加入者回線の負極性の電圧が印加される信号線に設けられ、前記論理操作は、加入者回線の正極性の電圧側は論理和操作であり、加入者線の負極性の電圧側は論理積操作であることを特徴とする請求項２記載の回線負荷抵抗監視回路。
【請求項５】
前記第１及び第２のウインドウ型比較回路の出力は、ホトカプラを介して論理積出力によりアラーム信号を出力することを特徴とする請求項１、２、３又は４記載の回線負荷抵抗監視回路。
【請求項６】
給電用電源回路と、加入者回線に接続され信号の送受信を行うトランス巻線との間に前記請求項１、２、３、４又は５記載の回線負荷抵抗監視回路が接続されたことを特徴とする局給電デジタル加入者回路装置。
【発明の詳細な説明】
【０００１】
【発明の属する技術分野】
本発明は、局給電デジタル加入者回路の負荷変動を検出する回線負荷抵抗監視回路および該回線負荷抵抗監視回路を備えた局給電デジタル加入者回路装置に関する。
【０００２】
【従来の技術】
従来、屋外伝送線路を介して加入者端末装置と接続される局給電デジタル加入者回路においては、回線負荷抵抗の変動を監視して、該回線負荷抵抗が規定の値以上となった場合に、何らかの異常があるものとして加入者端末装置に供給する給電電圧を一時停止する機能を備えることがある。例えば、ＥＴＳＩで規定するＮＴリセット機能においては、回線負荷抵抗（屋外伝送線路抵抗と加入者端末装置の直流負荷抵抗の和）を監視して該回線負荷抵抗が１００ｋΩ以上となった場合に加入者端末装置に供給する給電電圧を一時停止する。
【０００３】
図３は、従来の回線負荷監視回路の一例を示す図である。本回線負荷監視回路は、抵抗ブリッジを用いたものである。以下、図３に示す従来例の回路の構成及び動作を説明する。
【０００４】
同図の回線負荷監視回路の構成は、給電用電源回路ＰＷＲ１から加入者回線の回線端子ＴＩＰ及び回線端子ＲＩＮＧ側に接続される加入者端末装置に対し、屋外伝送線路を介してに電力を供給する基本構成を有し、更に、加入者回線の２本の信号線に回線負荷監視用抵抗Ｒ１５、Ｒ１６と、前記回線負荷監視用抵抗Ｒ１５、Ｒ１６の両端に抵抗Ｒ１１、Ｒ１２及び抵抗Ｒ１３、Ｒ１４からなる２つの抵抗分割器（抵抗ブリッジ）と、オペアンプ等の比較器ＩＣ８及びホトカプラＰＣ２とを設け、各抵抗分割器の分割電圧を前記比較器ＩＣ８で比較し、比較結果の出力によりホトカプラＰＣ２を制御し、アラーム制御回路ＣＮＴにアラーム信号を出力するように構成されている。
【０００５】
前記比較器ＩＣ８及びホトカプラＰＣ２においては、ＩＣ８の一方の入力端子に給電電圧Ｖ０がＲ１１とＲ１２の抵抗比で分割した電圧Ｖｘとして入力され、同他方の入力端子にはＶ０がＲ１３とＲ１４の抵抗比で分割した電圧Ｖｉｎとして入力されているため、ＶｉｎがＶｘを下回る（Ｖｉｎ＜Ｖｘ）と比較器ＩＣ８の出力論理がＨとなりＰＣ２のホトダイオードが導通してホトトランジスタＰＣ２がＯＮ（発光）し、ＣＮＴにアラームを通知する動作を行う。
【０００６】
図４は、従来例の動作のタイムチャートを示す図である。図４には回線負荷抵抗が正常な値を示す通常状態、何らかの原因で回線に交流誘導電圧が発生した場合の交流誘導時の状態、及び回線負荷が１００ｋΩ以上となった場合の回線負荷１００ｋΩ以上検出時の状態における、比較器ＩＣ８出力の状態、ホトカプラＰＣ２の出力の状態を示している。
【０００７】
なお、図４に示す従来例の回路では、２本の信号線の電位変化を比較器ＩＣ８で相対的に比較する構成を有していることから、両方の信号線の電圧変化を考慮する必要があるが、理解を容易にするために便宜的に図４（ａ）（ｂ）としてそれぞれの信号線の変化のみの動作説明により、以下説明する。
【０００８】
最初に、給電用電源回路の正極性側のみのに注目すると、通常状態では、抵抗Ｒ１３、Ｒ１４による分割電圧Ｖｉｎ６を抵抗Ｒ１１、Ｒ１２の分圧電圧Ｖｘ６より高く設定しておくので、比較器ＩＣ８の出力はローレベルであり、ＰＣ２の出力はＯＦＦ（消光）状態となる。また、回線負荷１００ｋΩ以上の値の場合には、回線負荷監視用抵抗に流れる電流が減少し、抵抗Ｒ１３、Ｒ１４の分圧電圧Ｖｉｎ６も低下してＶｘ６より低くなり、比較器ＩＣ８の出力はハイレベルとなり、ＰＣ２の出力はＯＮ（発光）状態となる。また、回線負荷抵抗は正常であるが誘導交流電圧が回線に重畳した場合は、前記交流電圧により比較器ＩＣ８の出力はローレベルとハイレベルを繰り返すので、ＰＣ２の出力はＯＮ／ＯＦＦを繰り返す状態となる。
【０００９】
次に、給電用電源回路の負極性側のみのに注目すると、通常状態では、抵抗Ｒ１３、Ｒ１４による分割電圧Ｖｉｎ４を抵抗Ｒ１１、Ｒ１２の分圧電圧Ｖｘ４より低く設定しておくので、比較器ＩＣ８の出力はローレベルであり、ＰＣ２の出力はＯＦＦ（消光）状態となる。また、回線負荷１００ｋΩ以上の値の場合には、回線負荷監視用抵抗に流れる電流が減少し、抵抗Ｒ１３、Ｒ１４の分圧電圧Ｖｉｎ４は上昇してＶｘ４より高くなり、比較器ＩＣ８の出力はハイレベルとなり、ＰＣ２の出力はＯＮ（発光）状態となる。また、回線負荷抵抗は正常であるが誘導交流電圧が回線に重畳した場合は、前記交流電圧により比較器ＩＣ８の出力はローレベルとハイレベルを繰り返すので、ＰＣ２の出力はＯＮ／ＯＦＦを繰り返す状態となる。
【００１０】
以上の図４（ａ）（ｂ）の片側の信号線からみたＰＣ２の出力変化の動作態様から分かるように、加入者回線の２本の信号線に同相の誘導交流電圧が同時に発生した場合、ＰＣ２の出力は図４（ｃ）に示すように、図４（ａ）（ｂ）の両方がＯＮ（発光状態）となる条件でアラーム信号（ＯＮ）が発生しアラーム制御回路ＣＮＴに出力される。
【００１１】
【発明が解決しようとする課題】
前述のとおり従来の抵抗ブリッジを用いた方式では、回線負荷抵抗が正常でも誘導交流電圧が回線に重畳した場合には、前記交流電圧により比較器ＩＣ８の出力がＯＮ／ＯＦＦを繰り返し、ＰＣ２の出力のＯＮ／ＯＦＦにより、アラーム制御回路ＣＮＴが回線抵抗の異常を検出し、誤検出及び誤制御動作を行うという問題がある。
【００１２】
更に従来方式では、回線抵抗の変化の検出において、比較器ＩＣ８の入力電圧を決定する抵抗Ｒ１１とＲ１２およびＲ１３とＲ１４の相対精度が重要である。例えば、ＥＴＳＩで規定される給電電圧９６Ｖにおいて、回線負荷監視用抵抗Ｒ１５、Ｒ１６を２５Ω、アラーム検出しきい値を１２０ｋΩ（ＥＴＳＩでは１００ｋΩ以上で検出）をアラーム検出値として設定すると抵抗の相対精度は±０．０４％必要となる。市場に出回っている抵抗の相対精度は通常±１％であり、０．０４％の相対精度を作り出すためにはトリミングにより抵抗値を調整するなどの手段を施さなければならなくなる。このように従来の方式では抵抗ブリッジを構成する抵抗値の相対精度の向上が抵抗の入手困難、コストアップ、及び製造品質劣化などの点で問題となる。
【００１３】
（目的）
本発明の目的は、回線負荷の異常を誤検出することなく且つ高精度に検出することを可能とする回線負荷抵抗監視回路および局給電デジタル加入者回路装置を提供することにある。
【００１４】
【課題を解決するための手段】
本発明は、屋外伝送線路を介して加入者端末装置と接続される局給電デジタル加入者回路に関し、特に、ＥＴＳＩで規定するＮＴリセット機能を実現するのに好適な回線負荷抵抗監視回路に関する。ＮＴリセット機能は回線負荷抵抗（屋外伝送線路抵抗と加入者端末装置の直流負荷抵抗の和）を監視して該回線負荷抵抗が１００ｋΩ以上となった場合に加入者端末装置に供給する給電電圧を一時停止する機能であり、局給電デジタル加入者回路内の給電の往路と復路のそれぞれに局給電電流検出抵抗器を配置して該検出抵抗器の電圧降下をウインドウ型コンパレータで検出することで交流誘導による誤検出を防止することを特徴とする回線負荷抵抗監視回路であり、また、該回線負荷抵抗監視回路を具備することを特徴とする局給電デジタル加入者回路装置に関する。
【００１５】
本発明の回線負荷抵抗監視回路は、第１及び第２の信号線からなる加入者回線の回線負荷抵抗の状態を検出する回線負荷抵抗監視回路において、第１及び第２の信号線に設けたそれぞれ第１及び第２の回線負荷監視用抵抗と、前記第１の回線負荷監視用抵抗の電圧降下の第１の極性の一定電圧範囲を検出する第１のウインドウ型比較回路と、第２の回線負荷監視用抵抗の電圧降下の第２の極性の一定電圧範囲を検出する第２のウインドウ型比較回路と、各ウインドウ型比較回路の出力の論理積操作により回線負荷抵抗の上昇を検出することを特徴とする。
【００１６】
また、前記第１及び第２のウインドウ型比較回路は、前記第１及び第２の信号線の間に直列接続された第１及び第２の電圧安定化回路と、前記第１及び第２の電圧安定化回路により発生した第１及び第２の基準電圧と前記第１及び第２の回線負荷監視用抵抗の各電圧降下とのそれぞれの比較結果と、前記第１及び第２の回線負荷監視用抵抗の電圧降下の極性のそれぞれの検出結果とをそれぞれ論理操作することにより、前記第１及び第２の回線負荷監視用抵抗の電圧降下のそれぞれの前記一定電圧範囲の検出を行うことを特徴とする。
【００１７】
前記第１及び第２の電圧安定化回路は、それぞれ安定化出力電圧出力の帰還電圧を発生する抵抗分割回路を備えるとともに、前記各抵抗分割回路に並列に前記第１及び第２の基準電圧を出力する抵抗分割回路をそれぞれ設けたことを特徴とする。
【００１８】
更に、前記第１のウインドウ型比較器は加入者回線の正極性の電圧が印加される信号線に設けられ、前記第２のウインドウ型比較器は、加入者回線の負極性の電圧が印加される信号線に設けられ、前記論理操作は、加入者回線の正極性の電圧側は論理和操作であり、加入者線の負極性の電圧側は論理積操作であることを特徴とする。そして、前記第１及び第２のウインドウ型比較回路の出力は、ホトカプラを介して論理積出力によりアラーム信号を出力することを特徴とする。
【００１９】
本発明の局給電デジタル加入者回路装置は、給電用電源回路と、加入者回線に接続され信号の送受信を行うトランス巻線との間に前記各構成を有する回線負荷抵抗監視回路が接続されたことを特徴とする。
【００２０】
（作用）
加入者回線の２本の信号線にそれぞれ回線負荷監視用抵抗を設け、その電圧降下を、検出しきい値範囲が重複しない２つのウインドウ型比較器で検出し、各検出結果の論理（積）操作を行うことによりアラーム出力に対する誘導交流電圧の影響を排除する。給電電源回路の出力間に直列接続した電圧安定化回路を設け、各安定化回路の負帰還電圧を出力する抵抗分割回路に並列に前記各ウインドウ型比較器の基準電圧を発生する抵抗分割回路を設けることにより、ブリッジを構成する抵抗値の相対精度の影響を抑制する。
【００２１】
【発明の実施の形態】
（構成の説明）
図１は、本発明の回線負荷抵抗監視回路および局給電デジタル加入者回路装置の一実施の形態の回路構成を示す図である。ＰＷＲ０は屋外伝送線路を介して加入者端末装置に電力を供給する給電用電源回路である。該給電用電源回路ＰＷＲ０からの直流給電経路は、往路と復路とから構成され、往路は、流れる電流を検出することにより負荷を監視するための抵抗である回線負荷監視用抵抗Ｒ９、回線に信号を重畳して送出するための信号送受信用のトランス巻線Ｔ０−１、回線の一方の端子である回線端子ＴＩＰとにより構成され、復路は、回線の他方の端子である回線端子ＲＩＮＧ、信号送受信用のトランス巻線Ｔ０−２、回線負荷監視用抵抗Ｒ１０とにより構成される。コンデンサＣ０は直流カットの目的で前記信号送受信用のトランス巻線Ｔ０−１とＴ０−２との間に接続される。
【００２２】
回線負荷の検出回路は、前記往路と復路の抵抗器Ｒ９、Ｒ１０の箇所にそれぞれ負荷側供給電流（Ｉｏｕｔ）検出回路と、回路側入力電流（Ｉｉｎ）検出回路とが設けられ、往路の負荷側供給電流（Ｉｏｕｔ）検出回路は、電圧を安定化するシャントレギュレータＩＣ０、オペアンプ等で構成した比較器（以下、コンパレータともいう。）ＩＣ２、ＩＣ３、ＯＲゲートＩＣ６、ホトカプラＰＣ０及び抵抗器Ｒ１、Ｒ２、Ｒ３、Ｒ４により構成される。シャントレギュレータＩＣ０のカソード端子、コンパレータＩＣ２の＋電源端子、コンパレータＩＣ３の＋電源端子と非反転入力端子（以下、「＋入力端子」という）、抵抗器Ｒ１、Ｒ３の端子、ホトカプラＰＣ０のアノード端子、ＯＲゲートＩＣ６の＋電源端子は、前記給電用電源回路ＰＷＲ０の正極性（正電位）の出力端子に接続される。
【００２３】
前記抵抗器Ｒ１と抵抗器Ｒ２の他方の接続点は前記シャントレギュレータＩＣ０へ帰還を行うためＩＣ０のリファレンス端子に接続される。前記抵抗器Ｒ３と抵抗器Ｒ４の接続点は前記コンパレータＩＣ２の＋入力端子に接続される。前記シャントレギュレータＩＣ０のアノード端子と前記抵抗器Ｒ２、Ｒ４および抵抗器Ｒ０の一方の端子を接続し、その接続点は前記コンパレータＩＣ２、ＩＣ３の−電源端子、前記ＯＲゲートＩＣ６の−電源端子と接続される。前記抵抗器Ｒ９と前記信号送受信用のトランス巻線Ｔ０−１との接続点は前記コンパレータＩＣ２、ＩＣ３の反転入力端子（以下、「−入力端子」という）に接続される。前記コンパレータＩＣ２、ＩＣ３の出力端子は前記ＯＲゲートＩＣ６の入力端子に接続される。前記ＯＲゲートＩＣ６の出力端子は前記ホトカプラＰＣ０のホトダイオードのカソードと接続される。
【００２４】
回線負荷の検出回路の復路の回路側入力電流（Ｉｉｎ）検出回路は、電圧を安定化するシャントレギュレータＩＣ１、比較器ＩＣ４、ＩＣ５、ＡＮＤゲートＩＣ７、ホトカプラＰＣ１及び抵抗器Ｒ５、Ｒ６、Ｒ７、Ｒ８、Ｒ１０により構成される。なお、比較器ＩＣ５は出力として反転出力を出力する点でＩＣ３と異なる。シャントレギュレータＩＣ１のカソード端子、コンパレータＩＣ４、ＩＣ５の＋電源端子、抵抗器Ｒ５、Ｒ７、ＡＮＤゲートＩＣ７の＋電源端子は前記抵抗器Ｒ０の他方の端子に接続される。前記抵抗器Ｒ５と抵抗器Ｒ６の接続点は前記シャントレギュレータＩＣ１への帰還を行うため、リファレンス端子に接続される。前記抵抗器Ｒ７と抵抗器Ｒ８の接続点は前記コンパレータＩＣ４の＋入力端子に接続される。前記シャントレギュレータＩＣ１のアノード端子、前記抵抗器Ｒ６、Ｒ８、前記コンパレータＩＣ４の−電源端子、前記コンパレータＩＣ５の−電源端子、ホトカプラＰＣ１のカソード端子、ＡＮＤゲートＩＣ７の−電源端子は、前記給電用電源回路ＰＷＲ０の負極性（負電位）の出力端子に接続される。
【００２５】
前記抵抗器Ｒ１０と前記信号送受信用のトランス巻線Ｔ０−２の接続点は前記コンパレータＩＣ４、ＩＣ５の−入力端子に接続される。前記コンパレータＩＣ４、ＩＣ５の出力端子は前記ＡＮＤゲートＩＣ７の入力端子に接続される。前記ＡＮＤゲートＩＣ７の出力端子は前記ホトカプラＰＣ１のホトダイオードのアノードと接続される。
【００２６】
前記ホトカプラＰＣ０のコレクタ端子は局給電デジタル加入者回路内の電源に接続される。前記ホトカプラＰＣ０のエミッタ端子は前記ホトカプラＰＣ１のコレクタ端子に接続され、該ホトカプラＰＣ１のエミッタ端子はアラーム制御回路ＣＮＴに接続される。
（動作の説明）
図１、図２に基づいて、本実施の形態の基本的な回線負荷抵抗監視回路および局給電デジタル加入者回路装置の動作について説明する。図２は回路動作のタイミング説明図である。
【００２７】
シャントレギュレータＩＣ０、ＩＣ１は、それぞれ図１中にＶｒｅｆ０、１で示すＲ２、Ｒ６の端子電圧を該シャントレギュレータのリファレンス電圧（ＮＥＣ製μＰＣ１９４４では１．２６Ｖｔｙｐ）に等しくなるように図中のＩＫ０，１で示すカソード電流の負帰還制御を行ない、抵抗器Ｒ０の端子電圧（ＩＫ×Ｒ０）を変化させてアノード−カソード間電圧をそれぞれＶＡＫ０＝（１＋Ｒ１／Ｒ２）×Ｖｒｅｆ０、ＶＡＫ１＝（１＋Ｒ５／Ｒ６）×Ｖｒｅｆ１として一定に保持する。
【００２８】
シャントレギュレータＩＣ０の前記ＶＡＫ０はコンパレータＩＣ２、３の電源電圧となるとともに、抵抗器Ｒ３、４で分圧されてコンパレータＩＣ２に基準電圧Ｖｘ２＝Ｒ４×ＶＡＫ０／（Ｒ３＋Ｒ４）を供給する。同様に、シャントレギュレータＩＣ１の前記ＶＡＫ１は、コンパレータＩＣ４、５の電源電圧となるとともに、抵抗器Ｒ７、８で分圧されてコンパレータＩＣ４に基準電圧Ｖｘ４＝Ｒ８×ＶＡＫ０／（Ｒ７＋Ｒ８）を供給する。
【００２９】
前記基準電圧Ｖｘ２、Ｖｘ４および抵抗器Ｒ９、Ｒ１０の抵抗値は本実施の形態の回線負荷抵抗１００ｋΩと給電電圧ＰＷＲ０から求まる検出閾値電流により任意に決定する。
【００３０】
以上のように本実施の形態では負荷側供給電流（Ｉｏｕｔ）検出回路と、回路側入力電流（Ｉｉｎ）検出回路の２つの電流検出回路を有し、負荷側供給電流（Ｉｏｕｔ）検出回路は、給電用電源回路ＰＷＲ０からＲ９、Ｔ０−１を介して負荷に至る経路を流れる電流（Ｉｏｕｔ）をコンパレータＩＣ２とＩＣ３で監視し、回路側入力電流（Ｉｉｎ）検出回路は、負荷からＴ０−２、Ｒ１０を介してＰＷＲ０に至る経路を流れる電流（Ｉｉｎ）をコンパレータＩＣ４とＩＣ５で監視する。
【００３１】
負荷側供給電流（Ｉｏｕｔ）検出回路における、コンパレータＩＣ２は抵抗器Ｒ９の電圧降下を基準電位Ｖｘ２と比較し、検出閾値電流以下となると論理Ｈ（ハイレベル）を出力する。コンパレータＩＣ３はＲ９の電圧降下が交流誘導電流により負の極性となることを検出し論理Ｌ（ローレベル）を出力する。前記コンパレータＩＣ２、ＩＣ３の出力をＯＲゲートＩＣ６に入力して該ＯＲゲートＩＣ６の出力によりホトカプラＰＣ０を駆動することにより、回線側への出力電流Ｉｏｕｔが正の電圧降下で検出閾値電流以下の時のみＰＣ０をＯＮさせる。表１に論理状態をまとめて示している。ここで、ＩＣ３入力電位の正負は、給電用電源電圧の正側（上側）の出力端子側を基準としている。
【００３２】
【表１】
0003721072.tif 000002
回路側入力電流（Ｉｉｎ）検出回路における、コンパレータＩＣ４は抵抗器Ｒ１０の電圧降下を基準電位Ｖｘ４と比較し、検出閾値電流以下となると論理Ｈを出力する。コンパレータＩＣ５はＲ１０の電圧降下が交流誘導電流により負の極性となることを検出し論理Ｌを出力する。前記コンパレータＩＣ４、ＩＣ５の出力をＡＮＤゲートＩＣ７に入力して該ＡＮＤゲートＩＣ７出力でホトカプラＰＣ１を駆動することにより、回線側からの入力電流Ｉｉｎが正の電圧降下で検出閾値電流以下のみＰＣ１をＯＮさせる。表２に論理状態をまとめて示している。
【００３３】
【表２】
0003721072.tif 000003
２つの電流検出回路は、それぞれＶｘ２から０Ｖ、及び０ＶからＶｘ４の間の電圧を検出して出力することになり、それぞれウインドウ型比較器を構成する。２つの電流検出回路の出力により制御されたホトカプラＰＣ０、ＰＣ１のワイヤドアンド出力をアラーム制御回路ＣＮＴへのアラーム入力とすることにより、給電電流（Ｉｏｕｔ、Ｉｉｎ）が直流的に検出閾値電流以下、つまりＶｘ２からＶｘ４までの値を定常的に示すときのみアラームをアラーム制御回路ＣＮＴに通知することが可能になり、交流誘導電流印加による誤検出を防止することが可能となる。
【００３４】
次に、図２の本実施の形態の動作を示すタイムチャートに基づき、より具体的に説明する。
同図には、回線負荷抵抗が正常な値を示す通常状態（I）、何らかの原因で回線に交流誘導電圧が発生した交流誘導時の状態（II）、及び回線負荷が１００ｋΩ以上となった回線負荷１００ｋΩ以上検出時の状態（III）の３状態における比較器ＩＣ２、ＩＣ３、ＩＣ４、ＩＣ５の各出力の状態、ＰＣ０、ＰＣ１の各出力の状態及びアラーム信号ＡＬＭの状態を示している。
【００３５】
Ｖｘ２は、レギュレータＩＣ０で安定化された電圧の抵抗Ｒ３、Ｒ４による分割電圧を示しており、Ｖｉｎ２は抵抗Ｒ９の電圧降下を示している。ここで、通常（正常）状態ではＶｉｎ２＞Ｖｘ２に、回線負荷１００ｋΩ以上の検出時はＶｉｎ２＜Ｖｘ２に設定される。
【００３６】
同様にＶｘ４は、レギュレータＩＣ１で安定化された電圧の抵抗Ｒ７、Ｒ８による分割電圧を示しており、Ｖｉｎ４は抵抗Ｒ１０の電圧降下を示している。ここで、通常（正常）状態ではＶｉｎ４＞Ｖｘ４に、回線負荷１００ｋΩ以上の検出時はＶｉｎ４＜Ｖｘ４に設定される。
【００３７】
最初に、図１に示す上側の負荷側供給電流（Ｉｏｕｔ）検出回路の動作を説明する。
【００３８】
通常状態（Ｉ）においては、抵抗Ｒ９の電圧降下がＲ３の電圧降下より大きいので、比較器ＩＣ２は、−入力端子の電位が＋入力端子の電位より低い状態となりハイレベルを出力し、比較器ＩＣ３は、−入力端子の電位が＋入力端子の電位より低い状態となりハイレベルを出力する。この結果、ＯＲゲートＩＣ６はハイレベルを出力するのでＰＣ０出力はＯＦＦ（消光）状態である。
【００３９】
回線負荷１００ｋΩ以上の検出時（III）には、供給電流が減少し抵抗Ｒ９に生じる電圧降下が低下し、Ｒ３の電圧降下より小さくなるので、比較器ＩＣ２は、−入力端子の電位が＋入力端子の電位より高くなりローレベルを出力し、比較器ＩＣ３は、抵抗Ｒ９に依然として供給電流による電圧降下が生じるため、−入力端子の電位が＋入力端子の電位より低く、ハイレベルを出力する。この結果、ＯＲゲートＩＣ６はハイレベルを出力するのでＰＣ０出力はＯＦＦ（消光）状態である。
【００４０】
また、交流誘導時（II）、つまり、回線負荷抵抗は正常であるが誘導交流電圧が回線に重畳した場合は、交流電圧により抵抗Ｒ９の電圧降下Ｖｉｎ２の極性が正負に切り替わると、比較器ＩＣ２の出力は分圧電圧Ｖｘ２以下の場合にローレベルとなり、図２（ａ）に示すＩＣ２の波形のようにＯＮ／ＯＦＦ動作を行う。また、比較器ＩＣ３の出力は、電圧降下Ｖｉｎ２の極性の正負の切り替わりにより図２（ａ）に示すＩＣ３の波形のようにＯＮ／ＯＦＦ動作を繰り返す。この結果、ＯＲゲートＩＣ６の出力は図２に示すＰＣ０のように、電圧降下Ｖｉｎ２がＶｘ２以下で正から負に切り替わる時点までの間のみハイレベルとなる。つまり、ＰＣ０は図２（ａ）に示すようなＯＮ／ＯＦＦ動作を繰り返す。
【００４１】
次に、図１に示す下側の回路側入力電流（Ｉｉｎ）検出回路の動作を説明する。
【００４２】
通常状態（I）においては、抵抗器Ｒ１０の電圧降下がＲ８の電圧降下より大きいので、比較器ＩＣ４は、−入力端子の電位が＋入力端子の電位より高い状態となりローレベルを出力し、比較器ＩＣ５は、−入力端子の電位が＋入力端子の電位より高い状態となりハイレベルを出力する。この結果、ＡＮＤゲートＩＣ７はローレベルを出力するのでＰＣ１出力はＯＦＦ（消光）状態である。
【００４３】
回線負荷１００ｋΩ以上の検出時（III）には、供給電流が減少し抵抗器Ｒ１０に生じる電圧降下が低下し、Ｒ８の電圧降下より小さくなるので、比較器ＩＣ４は、−入力端子の電位が＋入力端子の電位より低くなりハイレベルを出力し、比較器ＩＣ５は、抵抗Ｒ１０に依然として供給電流による電圧降下が生じるため、−入力端子の電位が＋入力端子の電位より高く、ハイレベルを出力する。この結果、ＡＮＤゲートＩＣ７はハイレベルを出力し、ＰＣ１出力はＯＮ（発光）状態となる。
【００４４】
また、交流誘導時（II）、つまり、回線負荷抵抗は正常であるが誘導交流電圧が回線に重畳した場合は、交流電圧により抵抗器Ｒ１０の電圧降下Ｖｉｎ４の極性が正負に切り替わると、比較器ＩＣ４の出力は分圧電圧Ｖｘ４以下の場合にローレベルとなり、図２（ｂ）に示すＩＣ４の波形のようにＯＮ／ＯＦＦ動作を行う。また、比較器ＩＣ５の出力は、電圧降下Ｖｉｎ４の極性の正負の切り替わりにより図２（ｂ）に示すＩＣ５の波形のようにＯＮ／ＯＦＦ動作を繰り返す。この結果、ＡＮＤゲートＩＣ７の出力は図２（ｂ）に示すＰＣ１のように、電圧降下Ｖｉｎ４が正から負への切り替わりからＶｘ４までの間のみハイレベルとなる。つまり、ＰＣ１は図２（ｂ）に示すようなＯＮ／ＯＦＦ動作を繰り返す。
【００４５】
上記動作において、電話回線の誘導により重畳する交流電圧は図２に示すとおり端子Ｉｏｕｔ、Ｉｉｎに同相で現れるため、図２（ａ）（ｂ）の動作は並行して行われる。そして、前述のＰＣ０、ＰＣ１のＯＮ／ＯＦＦ動作は、ＰＣ０のＯＮからＯＦＦへの切り替わり時にＰＣ１のＯＦＦからＯＮへの切り替わりが生じ、ＰＣ０、ＰＣ１のＯＮ状態が同時には生じない。一方、ホトカプラＰＣ０、ＰＣ１の出力はアラーム制御回路の入力部においてアンド接続されているため、図２（ｃ）に示すアラーム信号ＡＬＭが出力され、交流誘導時（II）にアラーム信号がアラーム制御回路ＣＮＴに入力することはなく、誤検出及び誤動作を起こすことがない。
【００４６】
以上の実施の形態においては、回線負荷監視用抵抗の電圧降下を比較器ＩＣ２、ＩＣ３（ＩＣ４、ＩＣ５）及び論理回路ＩＣ６（ＩＣ７）により全体としてウインドウ型比較器を構成した例を示したが、この回路は各種のウインドウ型比較器を使用することが可能であることは云うまでもない。
【００４７】
【発明の効果】
本発明によれば、加入者線に他の機器等からの誘導により交流電圧が重畳された場合にも、当該交流電圧を異なる波形箇所をウインドウ型の比較器により検出して論理操作を行うことにより、当該交流電圧による回線負荷抵抗の増大の誤検出を防止することが可能であり、回線異常を示す回線負荷抵抗の増大のみを確実に検出することが可能である。
【００４８】
また、比較器に供給する基準電圧を電圧安定化回路の帰還用の分圧抵抗と並列接続した分圧抵抗によりブリッジを構成して発生することにより、抵抗器の抵抗値の相対精度の影響を受けることがなく、加入者回線の抵抗変化の検出を高精度に行うことが可能である。
【図面の簡単な説明】
【図１】  本発明の一実施の形態を示す図である。
【図２】  本実施の形態の動作を示すタイムチャートを示す図である。
【図３】  従来の回線負荷監視回路を示す図である。
【図４】  従来例の動作を示すタイムチャートを示す図である。
【符号の説明】
ＰＷＲ０、ＰＷＲ１  給電用電源回路
ＩＣ０、ＩＣ１  シャントレギュレータ
ＩＣ２、ＩＣ３、ＩＣ４、ＩＣ５、ＩＣ８  比較回路（オペアンプ）
ＩＣ６  ＯＲゲート
ＩＣ７  ＡＮＤゲート
ＰＣ０、ＰＣ１  ホトカプラ
Ｒ９、Ｒ１０  回線負荷監視用抵抗
Ｔ０−１、Ｔ０−０  信号送受信用のトランス巻線
Ｃ０  コンデンサ
ＣＮＴ  アラーム制御回路
【図１】
0003721072.tif 000004
【図２】
0003721072.tif 000005
【図３】
0003721072.tif 000006
【図４】
0003721072.tif 000007